(57)【要約】【課題】従来のような軒樋の施工手順に制約がなくなり、軒樋を省施工で取り付けることができると共に、下飾りと軒樋との間で連続した一体感が得られる結果、建物の軒先の外観をより向上させる。【解決手段】軒樋２を保持する軒樋吊金具４の下部に、下飾り３を保持する飾り吊金具５が上下方向にスライド可能に取り付けられる。飾り吊金具５は、軒樋２を軒樋吊金具４に取り付ける際には軒樋２と干渉しない位置まで下降可能とされ且つ軒樋２を取り付けた後には下飾り３が配設される位置まで上昇可能とされ、飾り吊金具５の上昇位置で下飾り３が取り付けられる。【選択図】        図１
2004176376.tif 000002
【特許請求の範囲】
【請求項１】
軒先の鼻板又は外壁の前方に軒樋を配設し、軒樋の前面下端部と鼻板又は外壁とのなすコーナー部分に軒樋の前面下端部から鼻板又は外壁側に向けて下り傾斜するように傾斜した下飾りを配設する軒先化粧構造において、軒樋を保持する軒樋吊金具の下部に、下飾りを保持する飾り吊金具が上下方向にスライド可能に取り付けられ、飾り吊金具は、軒樋を軒樋吊金具に取り付ける際には軒樋と干渉しない位置まで下降可能とされ且つ軒樋を取り付けた後には下飾りが配設される位置まで上昇可能とされ、飾り吊金具の上昇位置で下飾りが取り付けられてなることを特徴とする軒先化粧構造。
【請求項２】
軒先の鼻板又は外壁の前方に軒樋を配設し、軒樋の前面下端部と鼻板又は外壁とのなすコーナー部分に軒樋の前面下端部から鼻板又は外壁側に向けて下り傾斜するように傾斜した下飾りを配設する軒先化粧構造において、軒樋を保持する軒樋吊金具の下方に、軒樋を軒樋吊金具に取り付ける際に軒樋と干渉しないように間隔をあけて飾り吊金具が配設され、飾り吊金具には下飾りの下耳部を保持する下耳保持部が設けられると共に、軒樋には下飾りの上耳部を保持する上耳保持部が設けられ、飾り吊金具と軒樋とによって下飾りを保持してなることを特徴とする軒先化粧構造。
【請求項３】
軒先の鼻板又は外壁の前方に軒樋を配設し、軒樋の前面下端部と鼻板又は外壁とのなすコーナー部分に軒樋の前面下端部から鼻板又は外壁側に向けて下り傾斜するように傾斜した下飾りを配設する軒先化粧構造において、軒樋を保持する軒樋吊金具の下部に飾り吊金具が配設され、飾り吊金具には下飾りの上耳部を保持する上耳保持部と下飾りの下耳部を保持する下耳保持部とが設けられ、上耳保持部は上下方向に弾性変形可能なバネ材で構成され、該バネ材からなる上耳保持部は、軒樋を軒樋吊金具に取り付ける際には軒樋と干渉しない位置まで下方に向かって弾性変形可能とされ且つ軒樋を取り付けた後に元の位置までバネ復帰して下飾りの上耳部が保持可能とされることを特徴とする軒先化粧構造。
【請求項４】
前記飾り吊金具には、バネ材からなる上耳保持部を軒樋と干渉しない位置で仮止めするための仮止め手段を設けたことを特徴とする請求項３記載の軒先化粧構造。
【請求項５】
軒先の鼻板又は外壁の前方に軒樋を配設し、軒樋の前面下端部と鼻板又は外壁とのなすコーナー部分に軒樋の前面下端部から鼻板又は外壁側に向けて下り傾斜するように傾斜した下飾りを配設する軒先化粧構造において、軒樋を保持する軒樋吊金具の下部に、下飾りの上耳部を保持する飾り吊金具が配設され、飾り吊金具には下飾りの上耳部を保持する上耳保持部と下飾りの下耳部を保持する下耳保持部とが設けられ、上耳保持部は前後方向に向かって回動可能とされ、軒樋を軒樋吊金具に取り付ける前には上耳保持部を前方に回動することで軒樋の底部が上耳保持部の後側に挿入可能とされ且つ軒樋を取り付けた後には上耳保持部は軒樋の前面下端部と対向する位置まで回動して下飾りの上耳部が保持可能とされることを特徴とする軒先化粧構造。
【請求項６】
軒先の鼻板又は外壁の前方に軒樋を配設し、軒樋の前面下端部と鼻板又は外壁とのなすコーナー部分に軒樋の前面下端部から鼻板又は外壁側に向けて下り傾斜するように傾斜した下飾りを配設する軒先化粧構造において、鼻板又は外壁に軒樋吊金具を取り付け、軒樋の前耳部を軒樋吊金具の前耳係止部に引っ掛け、軒樋を回して後耳部を軒樋吊金具の後耳係止部に取り付ける際に、軒樋の底部が下飾りと干渉しないように軒樋の底部の後端を前端に対して後方上がりに傾斜させてなることを特徴とする軒先化粧構造。
【発明の詳細な説明】
【０００１】
【発明の属する技術分野】
本発明は、軒先化粧構造に関し、詳しくは軒樋と下飾りとを取り付ける技術に関するものである。
【０００２】
【従来の技術】
一般に、軒樋は鼻板や外壁に取り付けるのであるが、軒樋が鼻板や外壁から突出して軒樋だけが屋外側に飛び出しているような状態となって、軒樋と鼻板或いは外壁との一体感が得られず、建物の軒先の外観が良くないという問題がある。
【０００３】
そこで、軒樋と外壁とのなすコーナー部分に下飾りを配設して、軒樋と外壁との一体感を現出するようにすることが提案されている。（例えば、特許文献１参照）
【０００４】
【特許文献１】
特開平８−９３１５７号公報
【０００５】
【発明が解決しようとする課題】
ところが、特許文献１では、軒樋の前面下端部と下飾りの外面上端との間が大きく離れているため、軒樋と下飾りとの間で連続した一体感がなく、外観が低下する問題を有している。
【０００６】
そこで、本発明者は本発明に至る過程で、図１１に示すように、軒樋吊金具４の下部に接近して下飾り３を保持する飾り吊金具５を取り付け、鼻板１の屋外側に配設される軒樋２の前面２ａ下端部と下飾り３の前面上端とを近接させることによって、軒樋２と下飾り３との間で連続した一体感を得ることにより、外観を向上させることを考えた。なお図中の８は下飾り３の下耳部６が係止する下耳係止部、９は上耳部７が係止する上耳係止部である。
【０００７】
しかし、下飾り３を取り付けた後で軒樋２を取り付ける場合にあっては、軒樋２の前耳部１１を軒樋吊金具４の前耳係止部１６に引っ掛け、軒樋２を回して後耳部１２を軒樋吊金具４の後耳係止部１７に取り付ける際に、軒樋２の底部２ｃと飾り吊金具５とが干渉することで、軒樋２の取り付けができなくなる。そのため軒樋２は下飾り３よりも先に取り付ける必要があり、施工手順に制約が生じるという問題があった。
【０００８】
本発明は、上記の従来例の問題点に鑑みて発明したものであって、その目的とするところは、従来のような軒樋の施工手順に制約がなくなり、軒樋を省施工で取り付けることができると共に、下飾りと軒樋との間で連続した一体感が得られる結果、建物の軒先の外観をより向上させることができる軒先化粧構造を提供することにある。
【０００９】
【課題を解決するための手段】
上記課題を解決するために請求項１記載の発明にあっては、鼻板１又は外壁の前方に軒樋２を配設し、軒樋２の前面２ａ下端部と鼻板１又は外壁とのなすコーナー部分に軒樋２の前面２ａ下端部から鼻板１又は外壁側に向けて下り傾斜するように傾斜した下飾り３を配設する軒先化粧構造において、軒樋２を保持する軒樋吊金具４の下部に、下飾り３を保持する飾り吊金具５が上下方向にスライド可能に取り付けられ、飾り吊金具５は、軒樋２を軒樋吊金具４に取り付ける際には軒樋２と干渉しない位置まで下降可能とされ且つ軒樋２を取り付けた後には下飾り３が配設される位置まで上昇可能とされ、飾り吊金具５の上昇位置で下飾り３が取り付けられてなることを特徴としており、このように構成することで、軒樋２を回して軒樋吊金具４に取り付ける際に、飾り吊金具５を下方にスライドさせることで、軒樋２の底部と飾り吊金具５との干渉を防止でき、飾り吊金具５があっても軒樋２の取り付けができ、その後で飾り吊金具５に下飾り３を取り付けることができるようになる。
【００１０】
また請求項２記載の発明にあっては、鼻板１又は外壁の前方に軒樋２を配設し、軒樋２の前面２ａ下端部と鼻板１又は外壁とのなすコーナー部分に軒樋２の前面２ａ下端部から鼻板１又は外壁側に向けて下り傾斜するように傾斜した下飾り３を配設する軒先化粧構造において、軒樋２を保持する軒樋吊金具４の下方に、軒樋２を軒樋吊金具４に取り付ける際に軒樋２と干渉しないように間隔をあけて飾り吊金具５が配設され、飾り吊金具５には下飾り３の下耳部６を保持する下耳保持部８が設けられると共に、軒樋２には下飾り３の上耳部７を保持する上耳保持部９が設けられ、飾り吊金具５と軒樋２とによって下飾り３を保持してなることを特徴としており、このように構成することで、軒樋２を回して軒樋吊金具４に取り付ける際に、軒樋２の底部と飾り吊金具５との干渉を防止でき、飾り吊金具５があっても軒樋２の取り付けができ、その後で飾り吊金具５に下飾り３の下耳部６を取り付け、軒樋２に下飾り３の上耳部７を取り付けることによって、軒樋２と飾り吊金具５とのスペースを下飾り３で覆い隠すことができる。
【００１１】
また請求項３記載の発明にあっては、鼻板１又は外壁の前方に軒樋２を配設し、軒樋２の前面２ａ下端部と鼻板１又は外壁とのなすコーナー部分に軒樋２の前面２ａ下端部から鼻板１又は外壁側に向けて下り傾斜するように傾斜した下飾り３を配設する軒先化粧構造において、軒樋２を保持する軒樋吊金具４の下部に飾り吊金具５が配設され、飾り吊金具５には下飾り３の上耳部７を保持する上耳保持部９と下飾り３の下耳部６を保持する下耳保持部８とが設けられ、上耳保持部９は上下方向に弾性変形可能なバネ材で構成され、該バネ材からなる上耳保持部９は、軒樋２を軒樋吊金具４に取り付ける際には軒樋２と干渉しない位置まで下方に向かって弾性変形可能とされ且つ軒樋２を取り付けた後に元の位置までバネ復帰して下飾り３の上耳部７が保持可能とされることを特徴としており、このように構成することで、軒樋２を回して取り付ける際に、バネ材からなる上耳保持部９を押し下げることで、軒樋２と上耳保持部９とが干渉しないようにすることによって、軒樋２の取り付けができ、その後、上耳保持部９から手を離すと上耳保持部９は自らのバネ力で元の位置に戻り、下飾り３の取り付けができるようになる。
【００１２】
また請求項４記載の発明にあっては、請求項３において、前記飾り吊金具５には、バネ材からなる上耳保持部９を軒樋２と干渉しない位置で仮止めするための仮止め手段１０を設けるのが好ましく、この場合、軒樋２の取り付けが完了するまで、上耳保持部９を手で押し下げ続けておく必要がなく、楽に軒樋２の取り付けができる。
【００１３】
また請求項５記載の発明にあっては、鼻板１又は外壁の前方に軒樋２を配設し、軒樋２の前面２ａ下端部と鼻板１又は外壁とのなすコーナー部分に軒樋２の前面２ａ下端部から鼻板１又は外壁側に向けて下り傾斜するように傾斜した下飾り３を配設する軒先化粧構造において、軒樋２を保持する軒樋吊金具４の下部に、下飾り３の上耳部７を保持する飾り吊金具５が配設され、飾り吊金具５には下飾り３の上耳部７を保持する上耳保持部９と下飾り３の下耳部６を保持する下耳保持部８とが設けられ、上耳保持部９は前後方向に向かって回動可能とされ、軒樋２を軒樋吊金具４に取り付ける前には上耳保持部９を前方に回動することで軒樋２の底部２ｃが上耳保持部９の後側に挿入可能とされ且つ軒樋２を取り付けた後には上耳保持部９は軒樋２の前面２ａ下端部と対向する位置まで回動して下飾り３の上耳部７が保持可能とされることを特徴としており、このように構成することで、軒樋２を回して取り付ける際に、上耳保持部９を前方に回動させることで軒樋２と上耳保持部９との干渉を防止でき、軒樋２の取り付けができ、その後、上耳保持部９が軒樋２の前面２ａ下端部と対向する位置まで回動することで、下飾り３を保持できるようになる。
【００１４】
また請求項６記載の発明にあっては、鼻板１又は外壁の前方に軒樋２を配設し、軒樋２の前面２ａ下端部と鼻板１又は外壁とのなすコーナー部分に軒樋２の前面２ａ下端部から鼻板１又は外壁側に向けて下り傾斜するように傾斜した下飾り３を配設する軒先化粧構造において、鼻板１又は外壁に軒樋吊金具４を取り付け、軒樋２の前耳部１１を軒樋吊金具４の前耳係止部に引っ掛け、軒樋２を回して後耳部１２を軒樋吊金具４の後耳係止部に取り付ける際に、軒樋２の底部２ｃが下飾り３と干渉しないように軒樋２の底部２ｃの後端２ｅを前端２ｄに対して後方上がりに傾斜させてなることを特徴としており、このように構成することで、軒樋２を回して取り付ける際に、軒樋２の底部２ｃが下飾り３と干渉することがないため、軒樋２の取り付けができると共に、軒樋２の前面２ａ下端部を下飾り３に接近して配置できるようになる。
【００１５】
【発明の実施の形態】
以下、本発明を添付図面に示す実施形態に基づいて説明する。
【００１６】
本実施形態では、図１に示すように、軒先の鼻板１の前方（屋外側）に軒樋２を配設し、軒樋２の前面２ａ下端部と鼻板１とのなすコーナー部分に軒樋２の前面２ａ下端部から鼻板１側に向けて下り傾斜するように傾斜した下飾り３を配設する軒先化粧構造を例示する。
【００１７】
軒樋２は、前面２ａの上端部に前耳部１１が設けられ、後面２ｂの上端部に後耳部１２が設けられている。軒樋２の前面２ａ下端部には、内側に向かって逆Ｌ字状に凹んだ溝条部１３が形成されており、溝条部１３の内側上面に軒樋吊金具４から垂下した樋押さえ１４が当たるようになり、溝条部１３の外側には飾り吊金具５の上耳保持部９が入り込むようになっている。
【００１８】
軒樋２を保持する軒樋吊金具４は、軒樋吊金具本体１４の後端部に鼻板１に固定される固定プレート１５が設けられ、軒樋吊金具本体１４の前面上端部に軒樋２の前耳部１１を係止する前耳係止部１６が設けられ、軒樋吊金具本体１４の下面後端部に軒樋２の後耳部１２を係止する後耳係止部１７が設けられている。前耳係止部１６及び後耳係止部１７はそれぞれ屋外側とは反対側（固定プレート１５側）に向けて開口している。固定プレート１５の前面には、軒樋２の後面に当たる凸部２８が突設され、凸部２８によって軒樋２の後耳部１２のがたつき防止が図られている。図中の２９は軒樋２のガイド部である。
【００１９】
さらに図２に示すように、固定プレート１５の下端から下方に向かって水平断面略Ｈ字形をしたレール部１８が垂設されている。このレール部１８に対して下飾り３を保持する飾り吊金具５が上下方向にスライド可能に取り付けられている。
【００２０】
一方、図１（ｄ）に示す下飾り３は、軒樋２の長手方向に沿うように長尺状に形成されている。下飾り３を保持する飾り吊金具５は、軒樋２の長手方向に間隔をあけて複数設けられている。ここでは、飾り吊金具本体２１の後端部にスライド部２０が設けられている。このスライド部２０は、図３に示すように、軒樋吊金具４のレール部１８が上下方向にスライド嵌合するレール溝１９を有しており、スライド部２０の両側にはビス止め部３０が設けられ、飾り吊金具本体２１を所定のスライド位置で鼻板１に固定できるようになっている。本例では、軒樋２を軒樋吊金具４に取り付ける際には軒樋２と干渉しない位置まで下降可能とされ且つ軒樋２を取り付けた後には下飾り３が配設される位置まで上昇可能とされ、飾り吊金具５の上昇位置で下飾り３が取り付けられるようになっている。なお本例ではレール部１８とレール溝１９とを組み合わせたスライド方式を例示しているが、これに限定されるものではなく、要するに軒樋２を軒樋吊金具４に取り付ける際に、飾り吊金具５が軒樋２と干渉しない位置まで押し下げることができるものであればよい。
【００２１】
前記飾り吊金具５のスライド部２０の前壁から前方に向けて上耳保持部９と下耳保持部８とがそれぞれ突設されている。上耳保持部９及び下耳保持部８は、それぞれ、軒樋２の前面２ａの延長線上に沿って配置されており、上耳保持部９の上端に対して下飾り３の上耳部７が係止され、下耳保持部８の下端に対して下飾り３の下耳部６が係止されるようになっている。
【００２２】
上記構成によれば、図１（ａ）のように、下端部に飾り吊金具５がスライド可能に取り付けられている軒樋吊金具４の固定プレート１５を鼻板１に固定する。その後、飾り吊金具５を下方（矢印ａ方向）にスライドさせた状態で、図１（ａ）のように、軒樋２の前耳部１１を軒樋吊金具４の前耳係止部１６に引っ掛けて軒樋２を矢印ｂ方向に回して、図１（ｂ）のように後耳部１２を軒樋吊金具４の後耳係止部１７に引っ掛ける。このとき、軒樋２の底部２ｃが下飾り３と干渉しないようにでき、軒樋２の取り付けができる。その後、図１（ｃ）のように飾り吊金具５の上耳保持部９が軒樋２の溝条部１３内に接近するまで、飾り吊金具５を上方（矢印ｃ方向）にスライドさせて飾り吊金具５を鼻板１に対してビス固定する。その後図１（ｄ）のように下飾り３の下耳部６を飾り吊金具５の下耳保持部８に引っ掛け、上耳部７を矢印ｄ方向に回して上耳保持部９に引っ掛けることによって、下飾り３の取り付けができる。
【００２３】
従って、軒樋２の後付けが可能となる。また軒樋２を先付けし、後から飾り吊金具５を取り付けることも可能である。よって、軒樋２の施工手順の制約がなくなり、軒樋２を省施工で取り付けることができるようになる。しかも、軒樋２の前面２ａ下端部に設けた溝条部１３と下飾り３の前面とを連続させることができるので、下飾り３と軒樋２との間で外観上の一体感が得られ、建物の軒先の外観をより向上させることができる。
【００２４】
前記の実施形態では飾り吊金具５を軒樋吊金具４に対してスライド可能に取り付けたが、以下の各実施形態では、飾り吊金具５が軒樋吊金具４に対して動かないように配設される場合を例示する。
【００２５】
図４、図５は、軒樋２を保持する軒樋吊金具４の下方に、軒樋２を軒樋吊金具４に取り付ける際に軒樋２と干渉しないように間隔をあけて飾り吊金具５を配設し、飾り吊金具５に下飾り３の下耳部６を保持する下耳保持部８を設けると共に、軒樋２に下飾り３の上耳部７を保持する上耳保持部９を設け、飾り吊金具５と軒樋２とによって下飾り３を保持した場合の一例を示している。なお軒樋２、下飾り３の構成は前記図１の実施形態と同様であり、異なる点だけを述べる。本例の飾り吊金具５は、軒樋吊金具４と一体型となっていると共に、図５に示すように、軒樋２の前面２ａ下端部の溝条部１３内に、先端が上方にＬ字状に屈曲した形状をした上耳保持部９が設けられている。飾り吊金具５には下耳保持部８のみが設けられている。
【００２６】
しかして、図４（ａ）のように、飾り吊金具５が一体に設けられている軒樋吊金具４を鼻板１に対して固定した後、図４（ａ）のように、軒樋２の前耳部１１を軒樋吊金具４の前耳係止部１６に引っ掛け、軒樋２を回して、図４（ｂ）のように後耳部１２を軒樋吊金具４の後耳係止部１７に引っ掛ける。このとき、軒樋２の底部２ｃが軒樋吊金具４に当たらないため軒樋２の取り付けができる。その後、図４（ｃ）のように下飾り３の下耳部６を飾り吊金具５の下耳保持部８に引っ掛け、図４（ｄ）のように下飾り３の上耳部７を飾り吊金具５の上耳保持部９に引っ掛けることによって、軒樋２と飾り吊金具５との間のスペースを下飾り３で覆い隠すことができる。この結果、前記実施形態と同様に、軒樋２の施工手順が制約されることがなく、省施工で取り付けることができるという効果に加えて、前記実施形態のように軒樋２を取り付ける前後で、飾り吊金具５をスライドさせる必要がないため、一層の省施工化を図ることができる。また、軒樋２の前面２ａ下端部側に、屋外側に向かって開口した上耳保持部９を設け、これに下飾り３の上耳部７を係止させるので、下飾り３の前面と軒樋２の前面２ａとの間に連続した一体感が得られるようになる。そのうえ上耳保持部９は下飾り３によって隠されるので、軒樋２の外観が損なわれることもない。
【００２７】
図６は、軒樋２を保持する軒樋吊金具４の下部に飾り吊金具５が配設され、飾り吊金具５には下飾り３の上耳部７を保持する上耳保持部９と下飾り３の下耳部６を保持する下耳保持部８とが設けられ、上耳保持部９は上下方向に弾性変形可能なバネ材で構成され、該バネ材からなる上耳保持部９は、軒樋２を軒樋吊金具４に取り付ける際には軒樋２と干渉しない位置まで下方に向かって弾性変形可能とされ且つ軒樋２を取り付けた後に元の位置までバネ復帰して下飾り３の上耳部７が保持可能とされる場合の一例を示している。本例では、飾り吊金具５には、バネ材からなる上耳保持部９を軒樋２と干渉しない位置で仮止めするための仮止め手段１０が設けられている。ここでは互いに着脱可能に係止する略Ｌ字状の爪１０ａ，１０ｂにて仮止め手段１０が構成されている。なお軒樋２、下飾り３の構成は前記図１の実施形態と同様であり、異なる点だけを述べる。本例においては、バネ材からなる上耳保持部９を図６（ａ）の矢印ｅ方向に手で押し下げて、軒樋２と上耳保持部９とが干渉しないようにする。このとき、飾り吊金具５に、上耳保持部９を下方に撓ませた状態で仮止めする仮止め手段１０を設けてあるので、軒樋２の取り付けが完了するまで、上耳保持部９を手で押し下げ続けておく必要がない。この状態で図６（ａ）のように、軒樋２の前耳部１１を軒樋吊金具４の前耳係止部１６に引っ掛け、軒樋２を回して、図６（ｂ）のように後耳部１２を軒樋吊金具４の後耳係止部１７に引っ掛けることができる。その後、仮止めを外すと、図６（ｂ）のように上耳保持部９は自らのバネ力で元の位置に戻り、図６（ｃ）のように下飾り３の下耳部６を下耳保持部８に引っ掛けると共に、図６（ｄ）のように下飾り３の上耳部７を上耳保持部９に引っ掛けることができる。この結果、前記実施形態と同様に、軒樋２の施工手順が制約されることがなく、省施工で取り付けることができるという効果に加えて、上耳保持部９をバネ材とすることで、飾り吊金具５の構成を簡易化できる。
【００２８】
図７は、軒樋２を保持する軒樋吊金具４の下部に、下飾り３の上耳部７を保持する飾り吊金具５が配設され、飾り吊金具５には下飾り３の上耳部７を保持する上耳保持部９と下飾り３の下耳部６を保持する下耳保持部８とが設けられ、上耳保持部９は前後方向に向かって回動可能とされ、軒樋２を軒樋吊金具４に取り付ける前には上耳保持部９を前方に回動することで軒樋２の底部２ｃが上耳保持部９の後側に挿入可能とされ且つ軒樋２を取り付けた後には上耳保持部９は軒樋２の前面２ａ下端部と対向する位置まで回動して下飾り３の上耳部７が保持可能とされる場合の一例を示している。なお軒樋２、下飾り３の構成は前記図１の実施形態と同様であり、異なる点だけを述べる。本例の飾り吊金具５は、軒樋吊金具４と一体型であり、下耳保持部８の上方にはＵ字形の回動部材２２が設けられている。回動部材２２は、底片２３の前端から上耳保持部９が立設されており、後端から当接片２４が立設され、底片２３の下端から脚部２５が垂設されており、脚部２５の下端部が、飾り吊金具本体２１に設けた回転部２６を中心に前後方向に回転自在に連結されている。
【００２９】
しかして、図７（ａ）のように、軒樋２を軒樋吊金具４に取り付ける前に上耳保持部９を前方に回動することで、軒樋２の底部２ｃが上耳保持部９の後側に挿入可能とされ、図７（ｂ）のように軒樋２を取り付けた後には当接片２４によって上耳保持部９は軒樋２の前面２ａ下端部と対向する位置まで回動することで、図７（ｃ）（ｄ）のように下飾り３の上耳部７が保持可能とされる。さらにこの状態では回動部材２２に設けられる係止凹所６０が飾り吊金具本体２２に設けられる係止凸部６１に係止することで、回動部材２２がその位置で保持される。この結果、前記実施形態と同様に、軒樋２の施工手順が制約されることがなく、省施工で取り付けることができるという効果に加えて、飾り吊金具５の上耳保持部９を回転式としたので、軒樋２は上耳保持部９と干渉することがなく、軒樋２の取り付けを楽に行なうことができる。
【００３０】
図８は鼻板１に軒樋吊金具４を固定し、軒樋２の前耳部１１を軒樋吊金具４の前耳係止部１６に引っ掛け、軒樋２を回して後耳部１２を軒樋吊金具４の後耳係止部１７に取り付ける際に、軒樋２の底部２ｃが下飾り３と干渉しないように軒樋２の底部２ｃの後端２ｅを前端２ｄに対して後方上がりに傾斜させた場合の一例を示している。本例の軒樋２は、図９に示すように、前耳部１１から底部２ｃの後端２ｅに至るまでの距離Ｄ２が、前耳部１１から底部２ｃの前端２ｄに至るまでの距離Ｄ１と略等しいか或いは短くなるように、底部２ｃが後方上がりに形成されている。一方、下飾り３の上面は水平面とされている。なお、下飾り３は飾り吊金具５を用いて鼻板１に固定されてもよいが、これに限らず、下飾り３を直接、鼻板１或いは外壁等に固定してもよい。
【００３１】
しかして、図８（ａ）のように、軒樋２の前耳部１１を軒樋吊金具４の前耳係止部１６に引っ掛け、軒樋２を回して、図８（ｂ）のように後耳部１２を軒樋吊金具４の後耳係止部１７に取り付ける際に、軒樋２の後方上がりの底部２ｃが下飾り３と干渉することがないため、軒樋２の取り付けができると共に、軒樋２の前面２ａ下端部を下飾り３に接近して配置できるようになる。ちなみに図１０に示すような従来の軒樋２では、前耳部１１から底部２ｃの後端２ｅに至るまでの距離Ｄ３が、前耳部１１から底部２ｃの前端２ｄに至るまでの距離Ｄ１（＜Ｄ３）よりも長くなっているため、底部２ｃが下飾り３と干渉して軒樋２の取り付けができなくなるが、本実施形態ではかかる問題は生じない。この結果、前記実施形態と同様に、軒樋２の施工手順が制約されることがなく、省施工で取り付けることができるという効果に加えて、軒樋２の底部２ｃを後ろ上がりの形状とするだけでよく、軒樋２及び下飾り３の構成をそれぞれ簡易にしながら、軒樋２と下飾り３とが外観上において連続した一体感が得られるようになる。
【００３２】
なお、前記図４〜図８の各実施形態において、軒樋２を先付けし、飾り吊金具５を後付けする場合にあっては、例えば飾り吊金具５と軒樋吊金具４とを別体で構成し、軒樋２を軒樋吊金具４に対して先付けした後で、軒樋吊金具４を鼻板１（或いは飾り吊金具５）に固定するようにしてもよい。
【００３３】
また、本発明に係る軒先化粧構造は、軒樋２を鼻板１に固定した軒樋吊金具４に取り付ける場合に限らず、外壁に固定した軒樋吊金具４に対して飾り吊金具５を取り付ける場合や、外壁に固定した飾り吊金具５に対して下飾り３を保持する場合にも広く適用できるものであり、結果、軒樋２の前面２ａ下端部と下飾り３とを外観上連続して配設できる構造に広く適用できるものである。
【００３４】
【発明の効果】
上述のように請求項１記載の発明にあっては、鼻板又は外壁の前方に軒樋を配設し、軒樋の前面下端部と鼻板又は外壁とのなすコーナー部分に軒樋の前面下端部から鼻板又は外壁側に向けて下り傾斜するように傾斜した下飾りを配設する軒先化粧構造において、軒樋を保持する軒樋吊金具の下部に、下飾りを保持する飾り吊金具が上下方向にスライド可能に取り付けられ、飾り吊金具は、軒樋を軒樋吊金具に取り付ける際には軒樋と干渉しない位置まで下降可能とされ且つ軒樋を取り付けた後には下飾りが配設される位置まで上昇可能とされ、飾り吊金具の上昇位置で下飾りが取り付けられてなるので、軒樋を回して取り付ける際に、飾り吊金具を下方にスライドさせることで、軒樋の底部と飾り吊金具との干渉を防止でき、飾り吊金具があっても軒樋の取り付けができ、その後で飾り吊金具に下飾りを取り付けることができる。これにより、従来のような軒樋の施工手順に制約がなくなり、軒樋を省施工で取り付けることができると共に、下飾りと軒樋との間で連続した一体感が得られる結果、建物の軒先の外観をより向上させることができる。
【００３５】
また請求項２記載の発明にあっては、鼻板又は外壁の前方に軒樋を配設し、軒樋の前面下端部と鼻板又は外壁とのなすコーナー部分に軒樋の前面下端部から鼻板又は外壁側に向けて下り傾斜するように傾斜した下飾りを配設する軒先化粧構造において、軒樋を保持する軒樋吊金具の下方に、軒樋を軒樋吊金具に取り付ける際に軒樋と干渉しないように間隔をあけて飾り吊金具が配設され、飾り吊金具には下飾りの下耳部を保持する下耳保持部が設けられると共に、軒樋には下飾りの上耳部を保持する上耳保持部が設けられ、飾り吊金具と軒樋とによって下飾りを保持してなるので、軒樋を回して軒樋吊金具に取り付ける際に、軒樋の底部と飾り吊金具との干渉を防止でき、飾り吊金具があっても軒樋の取り付けができ、その後で飾り吊金具に下飾りの下耳部を取り付け、軒樋に下飾りの上耳部を取り付けることによって、軒樋と飾り吊金具とのスペースを下飾りで覆い隠すことができる。これにより、従来のような軒樋の施工手順に制約がなくなり、軒樋を省施工で取り付けることができると共に、下飾りと軒樋との間で連続した一体感が得られる結果、建物の軒先の外観をより向上させることができる。
【００３６】
また請求項３記載の発明にあっては、鼻板又は外壁の前方に軒樋を配設し、軒樋の前面下端部と鼻板又は外壁とのなすコーナー部分に軒樋の前面下端部から鼻板又は外壁側に向けて下り傾斜するように傾斜した下飾りを配設する軒先化粧構造において、軒樋を保持する軒樋吊金具の下部に飾り吊金具が配設され、飾り吊金具には下飾りの上耳部を保持する上耳保持部と下飾りの下耳部を保持する下耳保持部とが設けられ、上耳保持部は上下方向に弾性変形可能なバネ材で構成され、該バネ材からなる上耳保持部は、軒樋を軒樋吊金具に取り付ける際には軒樋と干渉しない位置まで下方に向かって弾性変形可能とされ且つ軒樋を取り付けた後に元の位置までバネ復帰して下飾りの上耳部が保持可能とされるので、軒樋を回して取り付ける際にバネ材からなる上耳保持部を押し下げて、軒樋と上耳保持部とが干渉しないようにすることによって、軒樋の取り付けができ、その後、上耳保持部から手を離すと上耳保持部は自らのバネ力で元の位置に戻り、下飾りの取り付けができるようになる。これにより、従来のような軒樋の施工手順に制約がなくなり、軒樋を省施工で取り付けることができると共に、下飾りと軒樋との間で連続した一体感が得られる結果、建物の軒先の外観をより向上させることができる。
【００３７】
また請求項４記載の発明にあっては、請求項３記載の効果に加えて、前記飾り吊金具には、バネ材からなる上耳保持部を軒樋と干渉しない位置で仮止めするための仮止め手段を設けたので、軒樋の取り付けが完了するまで、上耳保持部を手で押し下げ続けておく必要がなく、楽に軒樋の取り付けができ、一層の省施工を図ることができる。
【００３８】
また請求項５記載の発明にあっては、鼻板又は外壁の前方に軒樋を配設し、軒樋の前面下端部と鼻板又は外壁とのなすコーナー部分に軒樋の前面下端部から鼻板又は外壁側に向けて下り傾斜するように傾斜した下飾りを配設する軒先化粧構造において、軒樋を保持する軒樋吊金具の下部に、下飾りの上耳部を保持する飾り吊金具が配設され、飾り吊金具には下飾りの上耳部を保持する上耳保持部と下飾りの下耳部を保持する下耳保持部とが設けられ、上耳保持部は前後方向に向かって回動可能とされ、軒樋を軒樋吊金具に取り付ける前には上耳保持部を前方に回動することで軒樋の底部が上耳保持部の後側に挿入可能とされ且つ軒樋を取り付けた後には上耳保持部は軒樋の前面下端部と対向する位置まで回動して下飾りの上耳部が保持可能とされるので、上耳保持部の前方への回動によって軒樋を回して取り付けることができ、上耳保持部と軒樋との干渉を防止でき、その後、上耳保持部が軒樋の前面下端部と対向する位置まで回動することで、下飾りを保持できるようになる。これにより、軒樋の施工手順に制約がなくなり、軒樋を省施工で取り付けることができると共に、下飾りと軒樋との間で連続した一体感が得られる結果、建物の軒先の外観をより向上させることができる。
【００３９】
また請求項６記載の発明にあっては、鼻板又は外壁の前方に軒樋を配設し、軒樋の前面下端部と鼻板又は外壁とのなすコーナー部分に軒樋の前面下端部から鼻板又は外壁側に向けて下り傾斜するように傾斜した下飾りを配設する軒先化粧構造において、鼻板又は外壁に軒樋吊金具を取り付け、軒樋の前耳部を軒樋吊金具の前耳係止部に引っ掛け、軒樋を回して後耳部を軒樋吊金具の後耳係止部に取り付ける際に、軒樋の底部が下飾りと干渉しないように軒樋の底部の後端を前端に対して後方上がりに傾斜させてなるので、軒樋を回して取り付ける際に軒樋の底部が下飾りと干渉することがなく、軒樋の取り付けができると共に、軒樋の前面下端部を下飾りに接近して配置できるようになる。従来のような軒樋の施工手順に制約がなくなり、軒樋を省施工で取り付けることができると共に、軒樋の底部を後ろ上がりの形状とするだけでよく、軒樋及び下飾りの構成をそれぞれ簡易にしながら、軒樋と下飾りとが外観上において連続した一体感が得られるようになる。
【図面の簡単な説明】
【図１】本発明の実施形態の一例を示し、（ａ）〜（ｄ）は軒樋の取り付け及び下飾りの取り付け手順を説明する側面図である。
【図２】（ａ）は同上の軒樋吊金具の正面図、（ｂ）は側面図、（ｃ）は（ａ）のＡ―Ａ線断面図である。
【図３】（ａ）は同上の飾り吊金具の側面図、（ｂ）は正面図、（ｃ）は（ａ）のＢ―Ｂ線断面図である。
【図４】（ａ）〜（ｄ）は本発明の他の実施形態の軒樋の取り付け及び下飾りの取り付け手順を説明する側面図である。
【図５】（ａ）は同上の軒樋の側面図、（ｂ）は上耳保持部の拡大断面図である。
【図６】（ａ）〜（ｄ）は本発明の更に他の実施形態の軒樋の取り付け及び下飾りの取り付け手順を説明する側面図である。
【図７】（ａ）〜（ｄ）は本発明の更に他の実施形態の軒樋の取り付け及び下飾りの取り付け手順を説明する側面図である。
【図８】（ａ）（ｂ）は本発明の更に他の実施形態の軒樋の取り付け方法を説明する側面図である。
【図９】同上の軒樋の側面図である。
【図１０】従来の軒樋の側面図である。
【図１１】従来の軒樋の取り付けを説明する側面図である。
【符号の説明】
１  鼻板
２  軒樋
２ａ  前面
２ｃ  底部
２ｄ  底部前端
２ｅ  底部後端
３  下飾り
４  軒樋吊金具
５  飾り吊金具
６  下耳部
７  上耳部
８  下耳保持部
９  上耳保持部
１０  仮止め手段
【図１】
2004176376.tif 000003
【図２】
2004176376.tif 000004
【図３】
2004176376.tif 000005
【図４】
2004176376.tif 000006
【図５】
2004176376.tif 000007
【図６】
2004176376.tif 000008
【図７】
2004176376.tif 000009
【図８】
2004176376.tif 000010
【図９】
2004176376.tif 000011
【図１０】
2004176376.tif 000012
【図１１】
2004176376.tif 000013